【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
制約問題に対して提案された解をコンピュータ処理装置により評価する方法において、
制約問題に対して総称的であり、その各々が最適性条件に関連づけられた第１の数のクレジット項の和と、その各々が制約に関連づけられた第２の数のペナルティ項の和とを加算したものである総称目標関数定義を提供する過程と、
総称目標関数を制約問題に適用可能である特定アプリケーション向け目標関数に構成する過程と、
特定アプリケーション向け目標関数の少なくとも１つのクレジット項における変数であって、提案された解に関連する少なくとも１つの変数の値を受信する過程と、
特定アプリケーション向け目標関数の少なくとも１つのペナルティ項における変数であって、提案された解に関連する少なくとも１つの変数の値を受信する過程と、
特定アプリケーション向け目標関数を使用し、クレジット項変数及びペナルティ項変数に基づいて提案された解の良度指数を生成する過程から成る方法。
【請求項２】
構成する過程は、
少なくとも１つのクレジット項の定義を受信する過程と、
少なくとも１つのペナルティ項の定義を受信する過程とを含む請求項１記載の方法。
【請求項３】
受信されるクレジット項定義は一定数の形態のうちの１つの形態を有し、受信されるペナルティ項定義は一定数の形態のうちの１つの形態を有する請求項２記載の方法。
【請求項４】
構成する過程は、
制約問題と関連し、少なくとも１つのクレジット項を含むクレジット項の集合を格納する過程と、
制約問題と関連し、少なくとも１つのペナルティ項を含むペナルティ項の集合を格納する過程と、
クレジット項の集合から少なくとも１つのクレジット項を選択することを示す入力を受信する過程と、
ペナルティ項の集合から少なくとも１つのペナルティ項を選択することを示す入力を受信する過程とを含む請求項１記載の方法。
【請求項５】
格納されるクレジット項の集合におけるクレジット項及び格納されるペナルティ項の集合におけるペナルティ項は、それぞれ、固定された項形態の集合における形態に対応している請求項４記載の方法。
【請求項６】
値を受信する過程は、クレジット項変数の値及びペナルティ項変数の値をユーザから受信する請求項１記載の方法。
【請求項７】
値を受信する過程は、クレジット項変数の値及びペナルティ項変数の値をシミュレータから受信する請求項１記載の方法。
【請求項８】
クレジット項ｍを
【数１】
2004110833.tif 000001
とし、ペナルティ項ｎを
【数２】
2004110833.tif 000002
とし、クレジット項ｍの重み係数を
【数３】
2004110833.tif 000003
とし、ペナルティ項ｎの重み係数を
【数４】
2004110833.tif 000004
とし、且つｍ及びｎが１以上の整数であるとき、前記提供過程は、下記の総称目標関数定義
【数５】
2004110833.tif 000005
【数６】
2004110833.tif 000006
を提供する請求項１記載の方法。
【請求項９】
クレジット重み係数及びペナルティ重み係数のうちの少なくとも一方は固定されている請求項８記載の方法。
【請求項１０】
クレジット重み係数及びペナルティ重み係数のうちの少なくとも一方は動的に調整される請求項８記載の方法。
【請求項１１】
クレジット重み係数及びペナルティ重み係数のうちの少なくとも一方は適応調整される請求項８記載の方法。
【請求項１２】
クレジット重み係数及びペナルティ重み係数の少なくとも初期値を受信する過程を更に含む請求項８記載の方法。
【請求項１３】
制約問題は沸騰水型原子炉炉心設計及び加圧水型原子炉炉心設計のうちの一方に関連する請求項１記載の方法。
【請求項１４】
制約問題は不連続制御変数又は連続制御変数における大規模組合せ最適化問題に関連する請求項１記載の方法。
【請求項１５】
制約問題に対して提案された解を評価する装置（１０）において、
制約問題に対して総称的であり、その各々が最適性条件に関連づけられた第１の数のクレジット項の和と、その各々が制約に関連づけられた第２の数のペナルティ項の和とを加算したものである総称目標関数定義に基づいて構成された特定アプリケーション向け目標関数を格納するメモリ（１６）と、
特定アプリケーション向け目標関数の少なくとも１つのクレジット項における変数であって、提案された解に関連する少なくとも１つの変数の値を受信し且つ特定アプリケーション向け目標関数の少なくとも１つのペナルティ項における変数であって、提案された解に関連する少なくとも１つの変数の値を受信するインタフェース（１２）と、
特定アプリケーション向け目標関数を使用し、クレジット項変数及びペナルティ項変数に基づいて提案された解の良度指数を生成するプロセッサ（１４）とを具備する装置。
【請求項１６】
前記インタフェース（１２）はグラフィカルユーザインタフェースである請求項１５記載の装置。
【請求項１７】
前記グラフィカルユーザインタフェース（１２）はインターネット（２４）又はイントラネット（２０）のいずれかを介してユーザとインタフェースする請求項１６記載の装置。
【請求項１８】
前記グラフィカルユーザインタフェース（１２）は少なくとも１つのクレジット項及び少なくとも１つのペナルティ項の定義を受信し、
前記プロセッサ（１４）は受信されたクレジット項定義、受信されたペナルティ項定義及び総称目標関数定義に基づいて特定アプリケーション向け目標関数を構成し、構成された特定アプリケーション向け目標関数を前記メモリ（１６）に格納する請求項１６記載の装置。
【請求項１９】
受信されるクレジット項定義は一定数の形態のうちの１つの形態を有し、受信されるペナルティ項定義は一定数の形態のうちの１つの形態を有する請求項１８記載の装置。
【請求項２０】
前記メモリ（１６）は、制約問題と関連し、少なくとも１つのクレジット項を含むクレジット項の集合を格納すると共に、制約問題と関連し、少なくとも１つのペナルティ項を含むペナルティ項の集合を格納し、
前記グラフィカルユーザインタフェース（１２）は、クレジット項の集合から少なくとも１つのクレジット項を選択する入力及びペナルティ項の集合から少なくとも１つのペナルティ項を選択する入力を受信し、
前記プロセッサ（１４）は選択されたクレジット項、選択されたペナルティ項及び総称目標関数定義に基づいて特定アプリケーション向け目標関数を構成し、構成された特定アプリケーション向け目標関数を前記メモリ（１６）に格納する請求項１６記載の装置。
【請求項２１】
格納されたクレジット項の集合におけるクレジット項及び格納されたペナルティ項の集合におけるペナルティ項は、それぞれ、固定された項形態の集合における形態に対応している請求項２０記載の装置。
【請求項２２】
クレジット項ｍを
【数７】
2004110833.tif 000007
とし、ペナルティ項ｎを
【数８】
2004110833.tif 000008
とし、クレジット項ｍの重み係数を
【数９】
2004110833.tif 000009
とし、ペナルティ項ｎの重み係数を
【数１０】
2004110833.tif 000010
とし、且つｍ及びｎが１以上の整数であるとき、前記提供過程は、下記の総称目標関数定義
【数１１】
2004110833.tif 000011
【数１２】
2004110833.tif 000012
を格納する請求項３記載の装置。
【請求項２３】
前記メモリ（１６）はクレジット重み係数及びペナルティ重み係数のうちの少なくとも一方の初期値を格納する請求項２２記載の装置。
【請求項２４】
前記プロセッサ（１４）はクレジット重み係数及びペナルティ重み係数のうちの少なくとも一方を動的に調整する請求項２２記載の装置。
【請求項２５】
前記プロセッサ（１４）はクレジット重み係数及びペナルティ重み係数のうちの少なくとも一方を適応調整する請求項２２記載の装置。
【請求項２６】
前記インタフェース（１２）はクレジット重み係数及びペナルティ重み係数の少なくとも初期値を受信する請求項２２記載の装置。
【請求項２７】
制約問題はボイラ水型原子炉炉心設計及び加圧水型原子炉炉心設計のうちの一方に関連する請求項１５記載の装置。
【請求項２８】
制約問題は不連続制御変数又は連続制御変数における大規模組合せ最適化問題に関連する請求項１５記載の装置。
【請求項２９】
制約問題に対して総称的であり、その各々が最適性条件に関連づけられた第１の数のクレジット項の和と、その各々が制約に関連づけられた第２の数のペナルティ項の和とを加算したものである総称目標関数定義を提供することをプロセッサに命令するコード配列と、
総称目標関数を制約問題に適用可能である特定アプリケーション向け目標関数に構成するためのコード配列と、
特定アプリケーション向け目標関数の少なくとも１つのクレジット項における変数であって、提案された解に関連する少なくとも１つの変数の値を受信するためのコード配列と、
特定アプリケーション向け目標関数の少なくとも１つのペナルティ項における変数であって、提案された解に関連する少なくとも１つの変数の値を受信するためのコード配列と、
特定アプリケーション向け目標関数を使用し、クレジット項変数及びペナルティ項変数に基づいて提案された解の良度指数を生成するためのコード配列を具備するコンピュータ読み取り可能な媒体。
【請求項３０】
最適化問題に対する解をコンピュータ処理装置により生成する方法において、
少なくとも１つの候補解を生成する過程と、
各々が最適性条件に関連づけられたところの１つのクレジット項を含む第１の数のクレジット成分の和と、各々が制約に関連づけられたところの１つのペナルティ項を含む第２の数のペナルティ成分の和とを加算したものである総称目標関数定義から構成される構成済み目標関数を使用して目標関数値を生成する過程と、
目標関数値に基づいて解への収束を評価する過程から成る方法。
【請求項３１】
総称目標関数定義を構成済み目標関数に構成する過程を更に含む請求項３０記載の方法。
【請求項３２】
コンピュータ処理装置により目標関数を構成する方法において、
制約問題に対して総称的であり、その各々が最適性条件に関連づけられた第１の数のクレジット項の和と、その各々が制約に関連づけられた第２の数のペナルティ項の和とを加算したものである総称目標関数定義を提供する過程と、
ユーザ入力に基づいて少なくとも１つのクレジット項を定義する過程と、
ユーザ入力に基づいて少なくとも１つのペナルティ項を定義する過程から成る方法。
【請求項３３】
原子炉制約問題に対して提案された解をコンピュータ処理装置により評価する方法において、
制約問題に対して総称的であり、その各々が最適性条件に関連づけられた第１の数のクレジット項の和と、その各々が制約に関連づけられた第２の数のペナルティ項の和とを加算したものである総称目標関数定義を提供する過程と、
総称目標関数を制約問題に適用可能である原子炉制約問題目標関数に構成する過程と、
構成済み目標関数の少なくとも１つのクレジット項における変数であって、提案された解に関連する少なくとも１つの変数の値を受信する過程と、
構成済み目標関数の少なくとも１つのペナルティ項における変数であって、提案された解に関連する少なくとも１つの変数の値を受信する過程と、
構成済み目標関数を使用し、クレジット項変数及びペナルティ項変数に基づいて提案された解の良度指数を生成する過程から成る方法。
【手続補正２】
【補正対象書類名】明細書
【補正対象項目名】０００１
【補正方法】変更
【補正の内容】
【０００１】
工業デザインにおいて遭遇する問題の大半は、その性質上、非線形であり、解決すべき問題のいくつかの目標を満たすシステムパラメータの判定を含む。そのような問題は、システムにおける制限又は制約を受けるシステム関数又はパラメータを最小にする解が望まれるような数学的最適化問題の形態で与えられる。システム関数と制約は、共に、システム入力（制御変数）及びシステム出力から構成されており、それらは不連続であっても良いし、連続していても良い。更に、制約は等式であっても良いし、あるいは不等式であっても良い。与えられる最適化問題に対する解は、１）所望の１つ以上の条件を最小又は最大にすることにより、最適条件を満たすこと及び２）システムに課される一連の制約等式を満たすことという特性のいずれか一方又は双方を有する。
【特許文献１】特開２００１−２２６４８０号
【特許文献２】特開２００３−２２２６９５号
【特許文献３】米国特許５６３６３２８
【特許文献４】米国特許６０３１９８４
【特許文献５】米国特許５２６７３４６
【特許文献６】米国特許５５３０８６７
【特許文献７】米国特許５８５５００９
【特許文献８】米国特許５９４０８１６
【特許文献９】米国特許６２７２４８３
【特許文献１０】米国特許５６３１９３９
【特許文献１１】米国特許５７２６９１３
【特許文献１２】米国特許５７９０６１６
【特許文献１３】米国特許５７９０６１８
【特許文献１４】米国特許５７９３６３６
【特許文献１５】米国特許５８１２６２２
【特許文献１６】米国特許５８５９８８５
【特許文献１７】米国特許５９２３７１７
【特許文献１８】米国特許５００９８３３
【特許文献１９】米国特許５９１２９３３
【特許文献２０】米国特許５７８１４３０